(57)【要約】【課題】本発明は、抗菌、防汚、消臭、浄水、空気浄化機能を有する光触媒と、暗所において発光する機能を有する蓄光剤との相乗効果により、両機能を最大限に活かした装飾性の高い造花を提供することを目的とする。【解決手段】装飾性を加えた造花を基材とし、第一層に蓄光剤をコーティングし、さらに第二層に光触媒である酸化チタン等をコーティングする。第一層と第二層の間に、中間層として無機材料、ポリシロキサン樹脂またはフッ素樹脂をコーティングする。【選択図】            図１
2006037305.tif 000002
【特許請求の範囲】
【請求項１】
花弁を形成する部材であって、少なくとも一面に形成された蓄光材からなる第一層と、
前記第一層の上層に形成された酸化チタン材からなる第二層と、を有する部材からなることを特徴とする造花。
【請求項２】
前記花弁に代えて茎又は、葉としたことを特徴とする請求項１に記載の造花。
【請求項３】
前記蓄光材からなる層、及び、前記酸化チタン材からなる層は、花弁を形成する部材の表裏面に形成した請求項１又は２に記載の造花。
【請求項４】
前記花弁を形成する部材はポリエステル、塩化ビニール、ナイロン、紙、糸、布のいずれか一又は二以上の組み合わせを原材料とする請求項１から３のいずれか一に記載の造花。
【請求項５】
前記酸化チタン材は、光触媒としての機能を有することを特徴とする請求項１から４のいずれか一に記載の造花。
【請求項６】
造花の花弁を形成すべき部材の一面に蓄光材を含むスプレーにより蓄光材からなる層を形成する蓄光材層形成工程と、
前記蓄光材層形成工程の後に、前記蓄光材層の形成された花弁を形成すべき部材を常温から２００℃以下で乾燥する蓄光材乾燥工程と、
前記乾燥工程の後に、酸化チタン材を含むスプレーにより酸化チタン材からなる層を前記一面に形成する光触媒層形成工程と
前記光触媒層形成工程の後に、前記光触媒層の形成された花弁を形成すべき部材を常温から２００℃以下で乾燥する光触媒材乾燥工程と、
を含む造花の製造方法。
【請求項７】
造花の花弁を形成すべき部材の両面に蓄光材を含むスプレーにより蓄光材からなる層を形成する第一蓄光材層形成工程と、
前記蓄光材層形成工程の後に、前記蓄光材層の形成された花弁を形成すべき部材を常温から２００℃以下で乾燥する蓄光材層乾燥工程と、
前記乾燥工程の後に、酸化チタン材を含むスプレーにより酸化チタン材からなる層を両面に形成する光触媒層形成工程と、
前記光触媒層形成工程の後に、前記光触媒層の形成された花弁を形成すべき部材を常温から２００℃以下で乾燥する光触媒層乾燥工程と、
を含む造花の製造方法。
【請求項８】
前記蓄光剤層と光触媒層の間に中間層として、無機材料、ポリシロキサン樹脂 またはフッ素樹脂により構成されている請求項１から５のいずれか一に記載の造花。
【発明の詳細な説明】
【技術分野】
【０００１】
本発明は、光触媒の持つ抗菌効果、防汚効果、消臭効果、浄水効果、空気清浄化効果と、蓄光剤の持つ発光効果を利用し、道路、公園、室内、暗所などの環境においても高い装飾性を維持し続けることと人間にとって好環境を作り出すことが可能な造花に関するものである。
【背景技術】
【０００２】
光触媒である酸化チタン等は、太陽光や蛍光灯の紫外線によって活性化され、強力な酸化力を発揮することで空気中の有機物を分解し雑菌を不活性化することにより抗菌、防汚、消臭、浄水、空気清浄化を可能とする。そしてこの光触媒の効果を利用した造花（特許文献１）は、造花自体の装飾性を維持し、かつ人体に良い環境を作り出すとして人気を博している。しかしながら光触媒は光がなければその効果を発揮することができず、一日の半分が夜であることを考慮すれば、その効果が限定的なものであると言わざるをおえない。また、蓄光剤を有する造花（特許文献２）も社会的に認知されているが、蓄光剤でコーティングされた表面が時間の経過とともに空気中の物質により汚されてしまえば、その蓄光効果は減少してしまい、さらに日中の単なる造花としての装飾性も失われてしまう。
【特許文献１】実用新案登録第3071471号公報
【特許文献２】特開2000-140747号公報
【発明の開示】
【発明が解決しようとする課題】
【０００３】
上記の通り、光触媒のみを含有する造花は暗所において効果を発揮しておらず、また蓄光剤のみを含有する造花は、その装飾性の持続性に問題がある。
【課題を解決するための手段】
【０００４】
図１のように、造花基材部分（０１０３）の表面に蓄光塗料を塗布し、乾燥させ第一層（０１０１）を形成する。さらにその上に光触媒酸化チタンを含有する塗料を塗布し、乾燥させ第二層（０１０２）を形成する。第一層（０１０１）および中間層（０１０４）は蓄光剤の蓄光機能を損なうことのないように光を透過するものでなければならない。また、長期保有を目的とする場合、第一層（０１０１）と第二層（０１０２）の間に、無機材料、ポリシロキサン樹脂 又はフッ素樹脂を塗布し中間層（０１０４）を形成する。
【発明の効果】
【０００５】
以下、本発明の実施例について説明する。ポリエステル、ビニール、ナイロン等のいずれか一又は二以上の組み合わせの原材料で構成された造花基材部分に蓄光材料を用いた蓄光塗料をスプレー等で塗布し、常温から２００℃以下で乾燥させ、第一層を形成する。このことにより本発明の造花は蓄光性を有し、暗所において高い装飾性を有することになる。さらに前記第一層の上に光触媒酸化チタン等を含有する塗料をスプレー等により塗布し、２００℃以下で乾燥させ、第二層を形成する。これにより本発明の造花は光触媒の強力な酸化力により油分を分解しすることで防汚効果を発揮する。
【０００６】
また、光触媒により本発明は、アンモニア、アセトアルデヒド(タバコ臭) 、硫化水素（腐卵臭）、メチルメルカプタン（にんにく臭）などの悪臭物質を分解するという消臭効果を有する。また、光触媒により本発明は第二層表面に接触してくる細菌を殺し、その死骸をも分解するという抗菌効果有することとなる。また、光触媒により本発明は水質汚染物質の分解するという浄水効果を有することとなる。また本発明の造花は、自動車の排ガスなどから排出される窒素酸化物（ＮＯｘ）や硫黄酸化物（ＳＯｘ）などの環境汚染物質やホルムアルデヒドなどの有害物質を分解するという空気浄化効果を有することとなる。
【０００７】
そして、本発明が前記二層からなる構造形成することで、以下の相乗効果をもたらす。図３より日中、前記第一層は蓄光し、前記第二層は防汚効果を発揮することで光をさえぎる汚れを分解する。図２のように夜間、前記第一層は発光し、前記第二層はその光によって光触媒の持つ効果を発揮することが可能となる。
【０００８】
よって本発明の造花を家内のみならず病院や学校に設置することで、造花自体の装飾性を維持しつつ衛生環境の向上に貢献する。
【発明を実施するための最良の形態】
【０００９】
以下に、各発明を実施するための最良の形態を説明する。なお、本発明ははこれら実施形態になんら限定されるものではなく、その要旨を逸脱しない範囲において、種々なる様態で実施しうる。
【００１０】
<実施形態１>
<概要>
実施形態１は、花弁を形成する部材であって、少なくとも一面に形成された蓄光材からなる第一層と、前記第一層の上層に形成された酸化チタン材からなる第二層と、を有することを特徴とする造花に関するものである。
【００１１】
<構成要件>
実施形態１の造花は、花弁を形成する部材が第一層と、第二層を有している点に特徴がある。以下にこれらの特徴点に関して説明する。
【００１２】
まず、「造花」とは、紙、糸、布などで花の形を模して作った人工の花のようなものをいう。造花は、装飾品として利用される。
【００１３】
「花弁」とは、花被の内側を構成する花冠の各片をいう。
【００１４】
「第一層」は、蓄光材からなる層をいう。ここで「蓄光材」とは、太陽光や蛍光灯などの光を吸収蓄積して、暗所でこれを徐々に放出、発光する性質を持った材料をいう。
【００１５】
「第二層」は、光触媒からなる層をいう。「光触媒」とは、半導体に紫外線を照射すると強い還元作用を持つ電子と強い酸化作用を持つ正孔が生成され、半導体に接触した分子種を酸化還元作用により分解する物質である。そしてこのような作用を光触媒作用と呼び、この光触媒作用を利用することによって、作業空間の抗菌、防汚、消臭、空気浄化可能にすることができる。光触媒作用を示す物質として酸化チタンがある。
【００１６】
また、第二層の構成材料は光触媒である酸化チタン材のみの使用に限定することなく、たとえば無光触媒であるリン酸チタニア系化合物を混ぜて用いることも可能である。
【００１７】
「無光触媒」とは、光ではなく、空気中の酸素、水分、温度（常温）で反応する触媒である。
【００１８】
<作用>
これらの構成があいまって、本件実施形態においては、以下のような作用を生じる。
【００１９】
第一層と、第二層を設けていることにより、日中には、前記第一層は蓄光し、前記第二層は防汚効果を発揮することで光をさえぎる汚れを分解し、夜間には、前記第一層は発光し、前記第二層はその光によって光触媒の持つ効果を発揮することが可能となる。
【００２０】
造花というものの性質上、いつもキレイであるのが理想であるが、室内の空気中に漂っている微細なごみ、細菌類などによって花弁の表面が汚れるのが常である。特に、花弁は、表面積が植物のほかの部分に比較して大きく、これらのごみがたまりやすいという欠点を有している。そのため前記の構造によりその問題を解決することが可能である。
【００２１】
本実施形態においては、たとえば室内に設置することで昼夜問わず、造花の装飾性を楽しむことが可能である。
【００２２】
<実施形態２>
<概要>
実施形態１に記載の発明を基本として前記花弁に代えて茎又は、葉としたことを特徴とする造花に関する技術を提供する。
【００２３】
<構成要件>
「茎」とは植物でいう枝葉をつけ、根を生ずる器官を指す。
【００２４】
「葉」とは植物でいう呼吸作用および炭酸同作用を営む器官を指す。その形状は一様ではないが、一般的に扁平である。
【００２５】
<作用>
実施形態１と同様の構造持つことにより、たとえば室内に観葉植物として設置することで、昼夜問わず造花自体の装飾性を楽しむことが可能である。
【００２６】
<実施形態３>
<概要>
前記蓄光材からなる層、及び、前記酸化チタン材からなる層は、花弁を形成する部材の表裏面に形成した実施形態１又は２を基本とした造花に関する技術を提供する。
【００２７】
<作用>
光触媒を塗布された範囲が広がることで、光触媒作用を増すことができる。さらに、表裏に塗布することで、ポリエステル、塩化ビニール、ナイロンなどを片面のみ膜状に塗布した場合に薄いものであるがゆえに起こる反り返りを防ぐことができる。
【００２８】
<実施形態４>
<概要>
前記花弁を形成する部材はポリエステル、塩化ビニール、ナイロンのいずれか一又は二以上の組み合わせを原材料とする実施形態１から３のいずれか一を基本とした造花に関する技術を提供する。
【００２９】
<構成要件>
前記花弁を形成する部材はポリエステル、塩化ビニール、ナイロンが一般的ではあるが、本発明はこれに準ずる部材を用いることも可能である。また、前記花弁を形成する部材であるポリエステル、塩化ビニール、ナイロン等は紙や布といった状態の部材として用いることが可能である。
【００３０】
<実施形態５>
<概要>
前記酸化チタン材は、光触媒としての機能を有することを特徴とする請求項１から４のいずれか一に記載の造花。
【００３１】
<構成要件>
前記酸化チタン材はＴｉＯ2である。
【００３２】
前記酸化チタン材は、光触媒としてもっとも一般的であるが、本発明は他の光触媒作用を持つ物質を用いても同様の効果を得られる。
【００３３】
<実施形態６>
<概要>
造花の花弁を形成すべき部材の一面に蓄光材を含むスプレーにより蓄光材からなる層を形成する蓄光材層形成工程と、前記蓄光材層形成工程の後に、前記蓄光材層の形成された花弁を形成すべき部材を常温から２００℃以下で乾燥する蓄光材乾燥工程と、前記乾燥工程の後に、酸化チタン材を含むスプレーにより酸化チタン材からなる層を前記一面に形成する光触媒層形成工程と、前記光触媒層形成工程の後に、前記光触媒層の形成された花弁を形成すべき部材を常温から２００℃以下で乾燥する光触媒材乾燥工程と、を含む造花の製造方法に関する技術を提供する。
【００３４】
<構成要件>
蓄光材層形成工程は、花弁を形成すべき部材に対して蓄光材を含むスプレーにより塗布するとしているが、本発明はスプレー以外の塗布方法でも可能である。
【００３５】
光触媒層形成工程は、花弁を形成すべき部材に対して酸化チタン材を含むスプレーにより塗布するとしているが、本発明はスプレー以外の塗布方法でも可能である。
【００３６】
<作用>
スプレーによる塗布方法は、グラデーション効果を容易とするので、本発明の造花の装飾性を高めるのにふさわしい方法であるといえる。
【００３７】
前記光触媒層の形成された花弁を形成すべき部材を常温から２００℃以下で乾燥することで、造花を構成する物質の熱変形による劣化を防ぐことを可能とする。
<実施形態７>
<概要>
造花の花弁を形成すべき部材の両面に蓄光材を含むスプレーにより蓄光材からなる層を形成する第一蓄光材層形成工程と、前記蓄光材層形成工程の後に、前記蓄光材層の形成された花弁を形成すべき部材を常温から２００℃以下で乾燥する蓄光材層乾燥工程と、前記乾燥工程の後に、酸化チタン材を含むスプレーにより酸化チタン材からなる層を両面に形成する光触媒層形成工程と、前記光触媒層形成工程の後に、前記光触媒層の形成された花弁を形成すべき部材を常温から２００℃以下で乾燥する光触媒層乾燥工程と、を含む造花の製造方法に関する技術を提供する。
【００３８】
<構成要件>
蓄光材層形成工程は、花弁を形成すべき部材に対して蓄光材を含むスプレーにより塗布するとしているが、本発明はスプレー以外の塗布方法でも可能である。
【００３９】
光触媒層形成工程は、花弁を形成すべき部材に対して酸化チタン材を含むスプレーにより塗布するとしているが、本発明はスプレー以外の塗布方法でも可能である。
<作用>
スプレーによる塗布方法は、グラデーション効果を容易とするので、本発明の造花の装飾性を高めるのにふさわしい方法であるといえる。
【００４０】
前記光触媒層の形成された花弁を形成すべき部材を常温から２００℃以下で乾燥することで、造花を構成する物質の熱変形による劣化を防ぐことを可能とする。
【００４１】
<実施形態８>
<概要>
図１のように、前記蓄光剤層と光触媒層の間に中間層（０１０４）として、無機材料、ポリシロキサン樹脂またはフッ素樹脂により構成されている実施形態１から５を基本とした記載の造花の製造方法を提供する。
<構成要件>
本発明は、中間層に無機材料、ポリシロキサン樹脂またはフッ素樹脂を使用するとしているが、これは光触媒による蓄光材の劣化を防ぐことを目的としており、他の耐酸化力の強い材料により中間層を構成することも十分可能である。
【００４２】
<作用>
蓄光材のスプレーは蓄光材に加えて、有機系樹脂、界面活性剤、その他の添加剤、水より構成される。蓄光材層の上に直接光触媒層形成すると、光触媒の強力な酸化作用により、有機系樹脂が劣化してしまう。そこで前記中間層を強い耐酸化力をもつ無機材料、ポリシロキサン樹脂またはフッ素樹脂層により構成することで、蓄光材層の劣化を防ぐことができる。
【図面の簡単な説明】
【００４３】
【図１】本発明を説明するための概念図
【図２】発明の効果を説明するための概念図
【図３】発明の効果を説明するための概念図
【符号の説明】
【００４４】
０１０１    第一層
０１０２    第二層
０１０３    造花基材部分
０１０４    中間層
【図１】
2006037305.tif 000003
【図２】
2006037305.tif 000004
【図３】
2006037305.tif 000005